(57)【要約】  電源端子と、接地端子と、通知端子とを備える電池パックにおいて、前記電源端子と前記接地端子に接続される二次電池と、前記通知端子と前記接地端子に接続される抵抗素子と、前記抵抗素子と並列に接続され、前記通知端子と前記接地端子に接続されるスイッチ構成部と、前記スイッチ構成部のスイッチのオン状態とオフ状態とを切り替える制御を行う制御部と、を備える電池パック。電池パックは非接触充電を行う非接触充電部をさらに備えてもよく、前記抵抗素子は、温度検知部であって、前記制御部は、前記非接触充電部により非接触充電を開始する場合、前記スイッチ構成部のスイッチをオン状態に切り替えてもよい。
2014192834.tif 000002
【特許請求の範囲】
【請求項１】
電源端子と、接地端子と、通知端子とを備える電池パックにおいて、
前記電源端子と前記接地端子に接続される二次電池と、
前記通知端子と前記接地端子に接続される抵抗素子と、
前記抵抗素子と並列に接続され、前記通知端子と前記接地端子に接続されるスイッチ構成部と、
前記スイッチ構成部のスイッチのオン状態とオフ状態とを切り替える制御を行う制御部と、を備える電池パック。
【請求項２】
非接触充電を行う非接触充電部をさらに備え、
前記抵抗素子は、温度検知部であって、
前記制御部は、前記非接触充電部により非接触充電を開始する場合、前記スイッチ構成部のスイッチをオン状態に切り替える請求項１記載の電池パック。
【請求項３】
前記スイッチに接続されている接続線の抵抗値は、前記温度検知部の抵抗値よりも低く設定されている請求項１記載の電池パック。
【請求項４】
前記スイッチ構成部は、複数の接続線が並列に接続され、各接続線にスイッチが接続されて構成され、
前記複数の接続線は、それぞれ異なる抵抗値が設定され、
前記温度検知部が接続されている接続線は、スイッチが接続されており、
前記制御部は、前記スイッチ構成部を構成している各スイッチと、前記温度検知部の接続線に接続されているスイッチのオン状態とオフ状態とを切り替える請求項１記載の電池パック。
【請求項５】
前記スイッチ構成部は、信号接続線を介して前記制御部に接続され、
前記制御部は、前記信号接続線を介して受信した信号に基づく情報を、前記非接触充電部を介して前記外部装置に送信する請求項１記載の電池パック。
【請求項６】
請求項１に記載の電池パックが装着されて、電源の供給を受ける携帯電子機器。
【請求項７】
電源端子と、接地端子と、通知端子とを備える電池パックが装着される携帯電子機器において、
前記電池パックが装着される装着部と、
前記装着部に前記電池パックが装着されたときに、前記通知端子に接続される第１端子と、
前記第１端子と接続された前記通知端子から供給される信号を受信する信号受信部と、
前記信号受信部により受信した信号に基づいて、前記電池パックに内蔵されている非接触充電部により外部装置との間で非接触充電を開始したことを検出し、非接触充電用のモードを実行する実行部を備え、
前記電池パックは、
前記電源端子と前記接地端子に接続される二次電池と、
前記通知端子と前記接地端子に接続される温度検知部と、
前記温度検知部と並列に接続され、前記通知端子と前記接地端子に接続されるスイッチ構成部と、
前記スイッチ構成部のスイッチのオン状態とオフ状態とを切り替える制御を行う制御部と、
非接触充電を行う非接触充電部を備え、
前記制御部は、前記非接触充電部により非接触充電を開始する場合、前記スイッチ構成部のスイッチをオン状態に切り替え、
前記スイッチに接続されている接続線の抵抗値は、前記温度検知部の抵抗値よりも低く設定される携帯電子機器。
【発明の詳細な説明】
【技術分野】
【０００１】
本発明は、複数端子を有する電池パック、及び当該電池パックが装着される携帯電子機器に関する。
【背景技術】
【０００２】
背景技術の電池パックは、電源端子と、接地端子と、ＩＤ（IDentification）端子を備えている。さらに、非接触充電機能を内蔵する電池パックは、電子機器本体側との通信を行うために、他に通信端子を２つ備えている。つまり、非接触充電機能を内蔵する電池パックは、５つの端子を備えている。
【先行技術文献】
【特許文献】
【０００３】
【特許文献１】日本国特開２００６−８１０９４号公報
【発明の概要】
【０００４】
ところで、電池パックは、端子数が増えるほど、製造コストがかかることになる。
また、電子機器に備えられている回路基板は、電池パックが装着されたときに、電池パックの端子と接触するための電池コネクタが備えられている。当然ながら、電池コネクタは、電池パックに備えられている端子数が多いほど大きくなる。
【０００５】
回路基板は、電池コネクタが占有する面積が大きくなると、他の部品の配置場所を変更する等、回路設計上の制約が生じる可能性がある。
また、電気機器は、薄型化、小型化の要請のもと、電池コネクタの大型化に伴って、構造上の制約を受ける可能性がある。
【０００６】
本発明は、端子数を増加することなく非接触充電機能を発揮することができる電池パック、及び当該電池パックが装着される携帯電子機器を提供する。
【０００７】
本発明に係る電池パックは、電源端子と、接地端子と、通知端子とを備える電池パックにおいて、前記電源端子と前記接地端子に接続される二次電池と、前記通知端子と前記接地端子に接続される抵抗素子と、前記抵抗素子と並列に接続され、前記通知端子と前記接地端子に接続されるスイッチ構成部と、前記スイッチ構成部のスイッチのオン状態とオフ状態とを切り替える制御を行う制御部と、非接触充電を行う非接触充電部を備える。
【０００８】
また、上記の電池パックは非接触充電を行う非接触充電部をさらに備えてもよく、前記抵抗素子は、温度検知部であって、前記制御部は、前記非接触充電部により非接触充電を開始する場合、前記スイッチ構成部のスイッチをオン状態に切り替えてもよい。
【０００９】
また、上記の電池パックにおいて、前記スイッチに接続されている接続線の抵抗値は、前記温度検知部の抵抗値よりも低く設定されている構成でもよい。
【００１０】
また、上記の電池パックにおいて、前記スイッチ構成部は、複数の接続線が並列に接続され、各接続線にスイッチが接続されて構成されており、前記複数の接続線は、それぞれ異なる抵抗値が設定され、前記温度検知部が接続されている接続線は、スイッチが接続されており、前記制御部は、前記スイッチ構成部を構成している各スイッチと、前記温度検知部の接続線に接続されているスイッチのオン状態とオフ状態とを切り替える構成でもよい。
【００１１】
また、上記の電池パックにおいて、前記スイッチ構成部は、信号接続線を介して前記制御部に接続され、前記制御部は、前記信号接続線を介して受信した信号に基づく情報を、前記非接触充電部を介して前記外部装置に送信する構成でもよい。
【００１２】
また、上記の電池パックは、携帯電子機器に装着されてもよい。
【００１３】
本発明に係る携帯電子機器は、電源端子と、接地端子と、通知端子とを備える電池パックが装着される携帯電子機器において、前記電池パックが装着される装着部と、前記装着部に前記電池パックが装着されたときに、前記通知端子に接続される第１端子と、前記第１端子と接続された前記通知端子から供給される信号を受信する信号受信部と、前記信号受信部により受信した信号に基づいて、前記電池パックに内蔵されている非接触充電部により外部装置との間で非接触充電を開始したことを検出し、非接触充電用のモードを実行する実行部を備え、前記電池パックは、前記電源端子と前記接地端子に接続される二次電池と、前記通知端子と前記接地端子に接続される温度検知部と、前記温度検知部と並列に接続され、前記通知端子と前記接地端子に接続されるスイッチ構成部と、前記スイッチ構成部のスイッチのオン状態とオフ状態とを切り替える制御を行う制御部と、非接触充電を行う非接触充電部を備え、前記制御部は、前記非接触充電部により非接触充電を開始する場合、前記スイッチ構成部のスイッチをオン状態に切り替え、前記スイッチに接続されている接続線の抵抗値は、前記温度検知部の抵抗値よりも低く設定される。
【００１４】
本発明によれば、端子数を増加することなく非接触充電機能を発揮することができる。
【図面の簡単な説明】
【００１５】
【図１】図１は、携帯電子機器と電池パックの外観を示す図である。
【図２】図２は、携帯電子機器と電池パックの構成を示す図である。
【図３】図３は、ＡＤＣの比率及び電圧値と、電池パックの温度の関係を示す図である。
【図４】図４は、スイッチ構成部の構成を示す図である。
【図５】図５は、電池パックの構成を示す図である。
【本発明の詳細な説明】
【００１６】
本発明に係る携帯電子機器１は、図１に示すように、電源端子ｔ２１と、接地端子ｔ２２と、通知端子ｔ２３とを備える電池パック２が装着部１１に装着される。なお、実際には、携帯電子機器１は、電池パック２が装着部１１に装着された後、図示しないバッテリーカバーが装着される。また、電源端子は、電源端子等と呼ばれる。接地端子は、ＧＮＤ端子等と呼ばれる。通知端子は、ＩＤ端子、電池ＩＤ端子等と呼ばれる。
【００１７】
電池パック２は、図２に示すように、二次電池２１と、温度検知部２２と、スイッチ構成部２３と、制御部２４と、非接触充電部２５を備える。
【００１８】
二次電池２１は、電源端子ｔ２１と接地端子ｔ２２に接続され、電圧Vbatを供給する。
温度検知部２２は、通知端子ｔ２３と接地端子ｔ２２に接続される。温度検知部２２は、具体的には、サーミスタにより構成されている。
【００１９】
スイッチ構成部２３は、温度検知部２２と並列に接続され、通知端子ｔ２３と接地端子ｔ２２に接続される。
制御部２４は、スイッチ構成部２３のスイッチ２３ａのオン状態とオフ状態とを切り替える制御を行う。
【００２０】
非接触充電部２５は、外部装置３との間で非接触充電を行う。
制御部２４は、非接触充電部２５により外部装置３との間で非接触充電を開始する場合、スイッチ構成部２３のスイッチ２３ａをオン状態に切り替える。
スイッチ構成部２３が接続されている接続線の抵抗値は、温度検知部２２の抵抗値よりも低く設定され、ゼロであってもよい。ここでいう接続線は、導線、電線等を意味するものであって、Ｒ３及びサーミスタ等の抵抗を含まないものであってもよい。
それにより、制御部２４から通知端子ｔ２３までの抵抗値は、スイッチ２３ａがオン状態のときの方が、スイッチ２３ａがオフ状態のときよりも小さくなってもよい。
【００２１】
また、携帯電子機器１は、図２に示すように、信号受信部１２と、実行部１３と、接触部１４とを備える。
接触部１４は、第１端子ｔ１１と、第２端子ｔ１２と、第３端子ｔ１３とから構成される。装着部１１に電池パック２が装着されたときに、第１端子ｔ１１は、通知端子ｔ２３に接続され、第２端子ｔ１２は、電源端子ｔ２１に接続され、第３端子ｔ１３は、接地端子ｔ２２に接続される。
【００２２】
信号受信部（以下、Analog-to-Digital Converter（ＡＤＣ）という）１２は、第１端子ｔ１１と接続された通知端子ｔ２３から供給される信号を検出する。また、第１端子ｔ１１とＡＤＣ１２の間には、電池パック２が装着部１１に装着されていないことを検出するためのプルアップ抵抗１５が接続されている。
【００２３】
実行部１３は、ＡＤＣ１２により検出した信号に基づいて、電池パック２に内蔵されている非接触充電部２５により外部装置３との間で非接触充電を開始したことを検出することができる。また、実行部１３は、非接触充電を開始したことを検出した場合、非接触充電用のモードを実行してもよい。
【００２４】
ここで、ＡＤＣ１２と実行部１３の動作について説明する。
実行部１３は、ＡＤＣ１２により検出した信号に基づいて、ＡＤＣ１２に入力された信号の比率又は当該比率に対応する電圧値を算出する。実行部１３は、当該比率又は当該電圧値に基づいて、電池パック２の温度を算出する。図３に、ＡＤＣ１２により検出された信号に基づいて算出された比率及び電圧値と、電池パック２の温度の関係を示す。
【００２５】
具体的には、電池パック２が装着部１１に装着されていない場合には、第１端子ｔ１１がオープンになっている。ＡＤＣ１２は、プルアップ抵抗１５側からの電圧を検出する。
実行部１３は、ＡＤＣ１２により検出した信号に基づいて、比率（１００パーセント）又は電圧値（例えば、１．８Ｖ）を算出し（図３中のＡ）、電池パック２が装着部１１に装着されていないことを検出する。
【００２６】
また、電池パック２が装着部１１に装着されており、かつ非接触充電が行われていない場合には、第１端子ｔ１１に通知端子ｔ２３が接触しており、スイッチ構成部２３のスイッチ２３ａがオフ（オープン）状態のままになっている。ＡＤＣ１２は、温度検知部２２からの信号を検出する。なお、温度検知部２２は、電池パック２の温度の変化に応じて、抵抗値が変化する。
実行部１３は、ＡＤＣ１２により検出した信号に基づいて、比率（例えば、約１５パーセント〜約９５パーセント）又は電圧値（例えば、約０．２５Ｖ〜約１．７０Ｖ）を算出し（図３中のＢ）、電池パック２の温度を算出する。なお、本実施例では、−２０℃〜９０℃を電池パック２の使用温度範囲として想定しているが、この数値範囲に限られない。
【００２７】
また、電池パック２が装着部１１に装着されており、かつ非接触充電が開始された場合には、第１端子ｔ１１に通知端子ｔ２３が接触しており、スイッチ構成部２３のスイッチ２３ａがオン（ショート）状態に切り替わる。
ＡＤＣ１２は、スイッチ構成部２３からの信号を検出する。また、ＡＤＣ１２は、ショート状態に基づく信号を検出してもよい。ここでいう、ショート状態とは、例えば、抵抗値の高いサーミスタ側に電流が流れず、抵抗値の低いスイッチ２３ａ側に電流が流れている状態を意味する。
実行部１３は、ＡＤＣ１２により検出した信号に基づいて、比率（例えば、約８パーセント）又は電圧値（例えば、約０．１Ｖ）を算出し（図３中のＣ）、非接触充電部２５により外部装置３との間で非接触充電を開始したことを検出することができる。また、実行部１３は、非接触充電を開始したことを検出した場合、非接触充電用のモードを実行してもよい。
【００２８】
例えば、実行部１３は、非接触充電用のモードの実行として、非接触充電に関するアプリケーションがインストールされているか否かを確認し、当該アプリケーションがインストールされていなければ、ディスプレイに当該アプリケーションをダウンロードするようポップアップ表示を行う構成でもよい。
携帯電子機器１は、ユーザによる所定の操作に応じて、非接触充電に関するアプリケーションを所定のサーバからダウンロードしてもよい。
また、実行部１３は、非接触充電用のモードの実行として、非接触充電を行っている旨を報知（ＬＥＤ等を点灯表示）する構成でもよい。
【００２９】
このようにして、電池パック２は、端子数を増加することなく非接触充電機能を発揮することができる。
また、携帯電子機器１は、３端子の電池パックに対応する電池コネクタを備えればよいため、電池コネクタが大型化せず、他の部品の配置場所を自由に選択でき、かつ、薄型化、小型化の要請にも応えることができる。
すなわち、電池パック２は、スイッチ構成部２３を備えることで、端子数を増加することなく、非接触充電の開始を携帯電子機器１に通知することができる。また、携帯電子機器１は、ＡＤＣ１２により信号を検出することによって、端子数を増加することなく、非接触充電を開始したことを検出することができる。
また、携帯電子機器１は、工場出荷時には、通常の電池パックを搭載し、その後、非接触充電機能を有する電池パック２に交換して使用することができる。
【００３０】
なお、図２では、携帯電子機器１の第１端子ｔ１１とプルアップ抵抗１５の間に抵抗Ｒ２（例えば、２．２ｋΩ）が接続され、電池パック２の通知端子ｔ２３に抵抗Ｒ３（例えば、８．２ｋΩ）が接続されているが、これに限られない。例えば、携帯電子機器１の第１端子ｔ１１とプルアップ抵抗１５の間にのみ抵抗（抵抗Ｒ２と抵抗Ｒ３との合計値１０．４ｋΩ）が接続される構成でもよい。また、各抵抗の値も任意に設定されてもよく、プルアップ抵抗１５の抵抗Ｒ１は、任意の値（例えば、１００Ω）でよい。
また、上記の例では、ＡＤＣ１２により検出した信号に基づいた比率又は電圧値の例を示したが、これらは抵抗Ｒ１、Ｒ２、Ｒ３の少なくとも一つの抵抗値に応じて、変化する。
【００３１】
また、制御部２４は、所定の通信プロトコルに基づいて、スイッチ構成部２３のスイッチ２３ａのオン状態を「１」とし、オフ状態を「０」として、スイッチ２３ａを適宜切り替えることにより、携帯電子機器１に情報を送信することができる。また、制御部２４は、非接触充電部２５を介して外部装置３から送信されてきた情報（例えば、クーポン情報等）に基づいて、スイッチ２３ａを適宜切り替える構成でもよい。このような構成によれば、携帯電子機器１は、外部装置３から送信されてきた情報を電池パック２経由で取得することができる。
【００３２】
また、図示しないが、第１端子ｔ１１には、ＡＤＣ１２と並列にディテクタ（充電回路）が接続されている。また、ディテクタは、第２端子ｔ１２にも接続されている。
商用電源に接続されている充電器（図示せず）は、ディテクタ及び第２端子ｔ１２を介して、電池パック２の電源端子ｔ２１に接続される。
ディテクタは、ＡＤＣ１２の比率（ＡＤＣ−ｉｎ）が所定の値（例えば、２５パーセント）に設定され、かつ通知端子ｔ２３及び第１端子ｔ１１を介して供給される温度検知部２２の値が当該所定の値以下になったことを検出した場合に、充電器と第２端子ｔ１２間の接続をオープン状態にすることにより、電池パック２への充電動作を停止させる。
【００３３】
スイッチ構成部２３は、複数の接続線が並列に接続され、各接続線にスイッチが接続されて構成されてもよい。
複数の接続線は、それぞれ異なる抵抗値が設定される。
温度検知部２２が接続されている接続線は、スイッチが接続される。
制御部２４は、スイッチ構成部２３を構成している各スイッチと、温度検知部２２の接続線に接続されているスイッチをオン状態とオフ状態とを切り替える。
【００３４】
具体的には、スイッチ構成部２３は、図４に示すように、スイッチａ１、スイッチｂ１、スイッチｃ１が並列に接続され、各スイッチには、抵抗値が異なる抵抗（ａ２、ｂ２、ｃ２）がそれぞれ直列に接続されている。
【００３５】
制御部２４は、例えば、温度検知部２２の接続線に接続されているスイッチをオン状態に切り替え、スイッチ構成部２３のスイッチａ１、スイッチｂ１、スイッチｃ１をすべてオフ状態にすることにより、温度検知部２２による変化を携帯電子機器１に通知できる。
【００３６】
また、制御部２４は、例えば、温度検知部２２の接続線に接続されているスイッチをオフ状態に切り替え、スイッチ構成部２３のスイッチａ１をオン状態に切り替え、スイッチｂ１及びスイッチｃ１をオフ状態に切り替えることにより、抵抗ａ２に起因する信号を携帯電子機器１に通知できる。
【００３７】
また、制御部２４は、例えば、温度検知部２２の接続線に接続されているスイッチをオフ状態に切り替え、スイッチ構成部２３のスイッチｂ１をオン状態に切り替え、スイッチａ１及びスイッチｃ１をオフ状態に切り替えることにより、抵抗ｂ２に起因する信号を携帯電子機器１に通知できる。
【００３８】
また、制御部２４は、例えば、温度検知部２２の接続線に接続されているスイッチをオフ状態に切り替え、スイッチ構成部２３のスイッチｃ１をオン状態に切り替え、スイッチａ１及びスイッチｂ１をオフ状態に切り替えることにより、抵抗ｃ２に起因する信号を携帯電子機器１に通知できる。
【００３９】
よって、携帯電子機器１は、電池パック２の複数の状態を検知することができる。なお、本実施例では、スイッチ構成部２３は、スイッチと抵抗のペアが３つ並列に接続される構成を示したが、これに限られず、スイッチと抵抗のペアが２つ又は４つ以上で構成されてもよい。また、上記の例では、スイッチａ１、スイッチｂ１、スイッチｃ１のいずれか１つのみをオン状態に切り替える構成を示したが、これに限られず、２つ以上のスイッチをオン状態に切り替えることとしてもよい。
【００４０】
スイッチ構成部２３は、制御部２４に接続される構成でもよい。具体的には、スイッチ構成部２３と制御部２４は、図５に示すように、信号接続線Ｌにより接続される。
制御部２４は、スイッチ構成部２３を介して携帯電子機器１から送信されてきた信号に基づく情報を、非接触充電部２５を介して外部装置３に送信する。
【００４１】
また、携帯電子機器１は、電池パック２に対して非接触充電の停止等の命令を行うこともできる。例えば、携帯電子機器１は、非接触充電の停止命令Ｓ１をＡＤＣ１２から出力し、第１端子ｔ１１、通知端子ｔ２３及び信号接続線Ｌを介して、制御部２４に供給する。制御部２４は、携帯電子機器１から供給された停止命令Ｓ１に基づいて、非接触充電部２５による充電動作を停止する。
【００４２】
また、当該構成によれば、携帯電子機器１と電池パック２の間、又は電池パック２を介して、携帯電子機器１と外部装置３の間において、相互に情報の送受信を行うこともできる。
【００４３】
また、本実施例では、主に電池パック２と、電池パック２が装着される携帯電子機器１の構成と動作について説明したが、これに限られず、各構成要素を備え、非接触充電が開始したことを検知するための方法、及びプログラムとして構成されてもよい。
【００４４】
さらに、電池パック２及び携帯電子機器１の機能を実現するためのプログラムをコンピュータで読み取り可能な記録媒体に記録して、この記録媒体に記録されたプログラムをコンピュータシステムに読み込ませ、実行することによって実現してもよい。
【００４５】
ここでいう「コンピュータシステム」とは、ＯＳや周辺機器等のハードウェアを含むものとする。また、「コンピュータで読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００４６】
さらに「コンピュータで読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでもよい。また、上記プログラムは、前述した機能の一部を実現するためのものであってもよく、さらに前述した機能をコンピュータシステムにすでに記録されているプログラムとの組み合わせで実現できるものであってもよい。
【００４７】
本発明を詳細にまた特定の実施態様を参照して説明したが、様々な変更や修正を加えることができることは当業者にとって明らかである。
本出願は、２０１３年５月２８日出願の日本特許出願・出願番号2013-112397に基づくものであり、その内容はここに参照として取り込まれる。
【符号の説明】
【００４８】
１  携帯電子機器
２  電池パック
１１  装着部
１２  信号受信部（ＡＤＣ）
１３  実行部
１４  接触部
１５  プルアップ抵抗
２１  二次電池
２２  温度検知部
２３  スイッチ構成部
２４  制御部
２５  非接触充電部
ｔ１１  第１端子
ｔ１２  第２端子
ｔ１３  第３端子
ｔ２１  電源端子
ｔ２２  接地端子
ｔ２３  通知端子
【図１】
2014192834.tif 000003
【図２】
2014192834.tif 000004
【図３】
2014192834.tif 000005
【図４】
2014192834.tif 000006
【図５】
2014192834.tif 000007
【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
電源端子と、接地端子と、通知端子のみを備える電池パックにおいて、
前記電源端子と前記接地端子に接続される二次電池と、
前記通知端子と前記接地端子に接続され、前記電池パックの温度に関する値を検知する温度検知部と、
前記温度検知部と並列に接続され、前記通知端子と前記接地端子に接続されるスイッチ構成部と、
非接触充電を行う非接触充電部と、
前記非接触充電が開始された場合に、前記スイッチ構成部のスイッチのオフ状態からオン状態へ切り替える制御を行う制御部と、を備え、
前記通知端子は、前記非接触充電が行われていない場合に、前記電池パックの温度を算出するための、前記温度検知部からの信号を供給し、前記非接触充電が開始された場合に、当該非接触充電が開始されたことを検知するための信号を供給する、
電池パック。
【請求項２】
前記スイッチに接続されている接続線の抵抗値は、前記温度検知部の抵抗値よりも低く設定されている請求項１記載の電池パック。
【請求項３】
前記スイッチ構成部は、複数の接続線が並列に接続され、各接続線にスイッチが接続されて構成され、
前記複数の接続線は、それぞれ異なる抵抗値が設定され、
前記温度検知部が接続されている接続線は、スイッチが接続されており、
前記制御部は、前記スイッチ構成部を構成している各スイッチと、前記温度検知部の接続線に接続されているスイッチのオン状態とオフ状態とを切り替える請求項１記載の電池パック。
【請求項４】
前記スイッチ構成部は、信号接続線を介して前記制御部に接続され、
前記制御部は、前記信号接続線を介して受信した信号に基づく情報を、前記非接触充電部を介して前記外部装置に送信する請求項１記載の電池パック。
【請求項５】
請求項１に記載の電池パックが装着されて、電源の供給を受ける携帯電子機器。
【請求項６】
電源端子と、接地端子と、通知端子のみを備える電池パックが装着される携帯電子機器において、
前記電池パックが装着される装着部と、
前記装着部に前記電池パックが装着されたときに、前記通知端子に接続される第１端子と、
前記第１端子と接続された前記通知端子から供給される信号を受信する信号受信部と、
前記信号受信部により受信した信号に基づいて、前記電池パックに内蔵されている非接触充電部により外部装置との間で非接触充電を開始したことを検出し、非接触充電用のモードを実行する実行部を備え、
前記電池パックは、
前記電源端子と前記接地端子に接続される二次電池と、
前記通知端子と前記接地端子に接続され、前記電池パックの温度に関する値を検知する温度検知部と、
前記温度検知部と並列に接続され、前記通知端子と前記接地端子に接続されるスイッチ構成部と、
非接触充電を行う非接触充電部と、
前記非接触充電が開始された場合に、前記スイッチ構成部のスイッチのオフ状態からオン状態へ切り替える制御を行う制御部と、を備え、
前記制御部は、前記非接触充電部により非接触充電を開始する場合、前記スイッチ構成部のスイッチをオン状態に切り替え、
前記スイッチに接続されている接続線の抵抗値は、前記温度検知部の抵抗値よりも低く設定され、
前記通知端子は、前記非接触充電が行われていない場合に、前記電池パックの温度を算出するための、前記温度検知部からの信号を供給し、前記非接触充電が開始された場合に、当該非接触充電が開始されたことを検知するための信号を供給する携帯電子機器。
【国際調査報告】
2014192834.tif 000008
2014192834.tif 000009
2014192834.tif 000010
2014192834.tif 000011